(57)【特許請求の範囲】
【請求項１】
モータと、
前記モータへの給電のオン・オフを制御するスイッチ手段と、
前記モータにより駆動されて被加工部材を切断する鋸刃と、
前記鋸刃を覆うソーカバーと、
前記ソーカバーを回動可能に支持すると共に前記鋸刃を突出させる開口部が形成されたベースと、
前記モータの回転をソフトスタートさせるソフトスタート手段と、
前記モータの回転開始前に前記被加工部材が前記鋸刃に対して所定距離以下に接近したことを検出する検出手段と、
を備え、
前記検出手段が前記モータの回転開始前に前記被加工部材が前記鋸刃に対して所定距離以下にあることを検出する場合、前記スイッチ手段が操作されると、前記ソフトスタート手段が始動して前記モータは回転を開始することを特徴とする携帯用切断機。
【請求項２】
前記被加工部材が前記鋸刃に対して所定距離以下にあることを前記検出手段が検出した後に、前記スイッチ手段がオンに切り替わると前記ソフトスタート手段は始動され、
前記被加工部材が前記鋸刃に対して所定距離以下にあることを前記検出手段が検出する前に、前記スイッチ手段がオンに切り替わると前記ソフトスタート手段は始動せずに前記モータは回転を開始することを特徴とする請求項１記載の携帯用切断機。
【請求項３】
前記検出手段は、前記鋸刃の切断方向に対し前記鋸刃よりも前方に位置することを特徴とする請求項１又は２記載の携帯用切断機。
【請求項４】
前記検出手段は、前記ベースに取り付けられていることを特徴とする請求項１から３のいずれか一に記載の携帯用切断機。
【請求項５】
モータと、
前記モータへの給電のオン・オフを制御するスイッチ手段と、
前記モータにより駆動されて被加工部材を切断する鋸刃と、
前記鋸刃を覆うソーカバーと、
前記ソーカバーを回動可能に支持すると共に前記鋸刃を突出させる開口部が形成されたベースと、
前記モータの回転をソフトスタートさせるソフトスタート手段と、
を備え、
前記スイッチ手段は、前記モータへの給電を制御すると共に、前記スイッチ手段の操作開始から所定の引き量に至ったときに、前記モータの回転が開始されるように構成され、
前記所定の引き量の領域内で、前記スイッチ手段の操作開始から前記所定の引き量に至るまでの前記スイッチ手段の操作速度を検出する検出手段と
を有し、
前記操作速度が所定速度以下である場合、前記ソフトスタート手段が始動して前記モータは回転を開始し、前記操作速度が前記所定速度を上回る場合、前記ソフトスタート手段が始動せずに前記モータは回転を開始することを特徴とする携帯用切断機。
【請求項６】
モータと、
前記モータへの給電のオン・オフを制御するスイッチ手段と、
前記モータにより駆動されて被加工部材を切断する鋸刃と、
前記鋸刃を覆うソーカバーと、
前記ソーカバーを回動可能に支持すると共に前記鋸刃を突出させる開口部が形成されたベースと、
前記モータの回転をソフトスタートさせるソフトスタート手段と、
を備え、
前記スイッチ手段は、前記モータへの給電を制御すると共に、前記スイッチ手段の操作開始から所定の引き量に至ったときに、前記モータの回転が開始されるように構成され、
前記スイッチ手段の操作開始から前記所定の引き量に至るまでに要する前記スイッチ手段の操作時間を検出する検出手段と
を有し、
前記操作時間が所定時間以下である場合、前記ソフトスタート手段が始動せずに前記モータは回転を開始し、前記操作時間が前記所定時間を上回る場合、前記ソフトスタート手段が始動して前記モータは回転を開始することを特徴とする携帯用切断機。
【発明の詳細な説明】
【技術分野】
【０００１】
本発明は、携帯用切断機に関し、特に、用途に応じて携帯切断機が自動的にソフトスタートする携帯用切断機に関する。
【背景技術】
【０００２】
従来の携帯用切断機は、モータと、モータにより駆動されて被加工部材を切断する鋸刃と、鋸刃の外周部分のほぼ半分を覆うソーカバーと、ソーカバーを回動可能に支持すると共に被加工部材に当接するベースとを備えている。ベースには、ソーカバーを上側としたときに、鋸刃を下側に突出させる開口部が形成されている。また、鋸刃の回転初期の被加工部材からの反動を軽減するために、モータの回転をソフトスタートさせるソフトスタート制御付きの携帯用切断機がある。
【発明の概要】
【発明が解決しようとする課題】
【０００３】
ソフトスタート制御付きの携帯用切断機では、鋸刃の回転初期は、モータの回転はソフトスタートされる。当該ソフトスタート制御は、例えば被加工部材の墨線に鋸刃の刃先を合わせて被加工部材を切断する場合のように加工精度が要求される場合は、被加工部材からの反動による鋸刃の刃先の墨線からずれを防止して、その機能が十分に発揮される。
【０００４】
しかしながら、そのような切断機では、加工精度を必要とせず短時間で切断作業を終えたい場合であっても、モータの回転はソフトスタートされるので、短時間で切断作業を終えることができず、作業効率の低下につながっていた。また、ソフトスタート制御の有無を切り替えるスイッチを備えた携帯用切断機もあるが、切断作業の度に用途に応じてソフトスタートの有無をユーザが設定しなければならず、作業効率の低下につながっていた。
【０００５】
本発明は、斯かる実情に鑑み、用途に応じてソフトスタートが自動的に起動する携帯用切断機を提供するものである。
【課題を解決するための手段】
【０００６】
請求項１記載の携帯用切断機は、モータと、前記モータへの給電のオン・オフを制御するスイッチ手段と、前記モータにより駆動されて被加工部材を切断する鋸刃と、前記鋸刃を覆うソーカバーと、前記ソーカバーを回動可能に支持すると共に前記鋸刃を突出させる開口部が形成されたベースと、前記モータの回転をソフトスタートさせるソフトスタート手段と、前記モータの回転開始前に前記被加工部材が前記鋸刃に対して所定距離以下に接近したことを検出する検出手段と、を備え、前記検出手段が前記モータの回転開始前に前記被加工部材が前記鋸刃に対して所定距離以下にあることを検出する場合、前記ソフトスタート手段が始動して前記モータは回転を開始することを特徴とする。
【０００７】
例えば被加工部材を表面に引かれた墨線に沿って切断する場合、ユーザの初動動作として、例えばモータのソフトスタートが必要とされる場合、ユーザは、鋸刃の回転前に鋸刃の先端を墨線に合わせ、次にスイッチ手段により鋸刃を回転させて被加工部材の切断を開始する。ユーザが当該動作を取ったとき、鋸刃の回転を開始すると、モータの回転はソフトスタートする。従って、鋸刃の回転もソフトスタートするので、モータの回転初期における被加工部材からの反動を抑制でき、例えば被加工部材の墨線からの鋸刃の刃先のずれを防止することができる。一方、ユーザの初動動作としてモータの回転をソフトスタートを必要としない場合、鋸刃は、モータに流れる電流量に応じて回転を開始するので短時間のうちに被加工部材の切断を終えることができる。
【０００９】
検出手段が、モータの回転開始前に被加工部材が鋸刃に対して所定距離以下にあることを検出すると、鋸刃の回転を開始する場合、ソフトスタート手段によってモータの回転はソフトスタートする。従って、鋸刃の回転もソフトスタートするので、モータの回転初期における切断作業での被加工部材からの反動が抑制され、例えば被加工部材の墨線からの鋸刃の刃先のずれを防止することができる。一方、検出手段が、モータの回転開始前に被加工部材が鋸刃に対して所定距離以下にあることを検出しない場合に鋸刃の回転を開始すると、モータはソフトスタート手段の制御を受けずに回転を開始する。従って、被加工部材を切断する場合、短時間で切断作業を終えることができる。
【００１０】
請求項２記載の携帯用切断機は、請求項１記載の携帯用切断機であって、前記被加工部材が前記鋸刃に対して所定距離以下にあることを前記検出手段が検出した後に、前記スイッチ手段がオンに切り替わると前記ソフトスタート手段は始動され、前記被加工部材が前記鋸刃に対して所定距離以下にあることを前記検出手段が検出する前に、前記スイッチ手段がオンに切り替わると前記ソフトスタート手段は始動せずに前記モータは回転を開始することを特徴とする。
【００１１】
上記構成により、モータへの給電を開始するときに、被加工部材が鋸刃に対して所定距離以下にあることの検出手段の検出の有無により、ソフトスタート手段の始動の有無を自動で設定することができる。
【００１２】
請求項３記載の携帯用切断機は、請求項１又は２記載の携帯用切断機であって、前記検出手段は、前記鋸刃の切断方向に対し前記鋸刃よりも前方に位置することを特徴とする。上記構成により、検出手段は、被加工部材が鋸刃に対して所定距離以下にあるか否かを容易に検出することができる。
【００１３】
請求項４記載の携帯用切断機は、請求項１記載の携帯用切断機であって、前記検出手段は、前記ベースに取り付けられていることを特徴とする。上記構成により、検出手段は、被加工部材が鋸刃に対して所定距離以下にあるか否かを正確に検出することができる。
【００１４】
請求項５記載の携帯用切断機は、モータと、前記モータへの給電のオン・オフを制御するスイッチ手段と、前記モータにより駆動されて被加工部材を切断する鋸刃と、前記鋸刃を覆うソーカバーと、前記ソーカバーを回動可能に支持すると共に前記鋸刃を突出させる開口部が形成されたベースと、前記モータの回転をソフトスタートさせるソフトスタート手段と、を備え、前記スイッチ手段は、前記モータへの給電を制御すると共に、所定の引き量以上操作されたときには、前記モータの回転が開始されるように構成され、前記所定の引き量の領域内で、前記スイッチ手段の操作速度を検出する検出手段とを有し、前記操作速度が所定速度以下である場合、前記ソフトスタート手段が始動して前記モータは回転を開始し、前記操作速度が前記所定速度を上回る場合、前記ソフトスタート手段が始動せずに前記モータは回転を開始することを特徴とする。
【００１５】
検出手段によって検出された操作速度が所定速度以下である場合、ソフトスタート手段によってモータの回転はソフトスタートする。従って、鋸刃の回転もソフトスタートするので、モータの回転初期における切断作業での被加工部材からの反動が抑制され、例えば被加工部材の墨線からの鋸刃の刃先のずれを防止することができる。一方、検出手段によって検出された操作速度が所定速度を上回る場合、モータはソフトスタート手段の制御を受けずに回転を開始する。従って、被加工部材を切断する場合、短時間で切断作業を終えることができる。
【００１６】
請求項６記載に携帯用切断機は、モータと、前記モータへの給電のオン・オフを制御するスイッチ手段と、前記モータにより駆動されて被加工部材を切断する鋸刃と、前記鋸刃を覆うソーカバーと、前記ソーカバーを回動可能に支持すると共に前記鋸刃を突出させる開口部が形成されたベースと、前記モータの回転をソフトスタートさせるソフトスタート手段と、を備え、前記スイッチ手段は、前記モータへの給電を制御すると共に、所定の引き量以上操作されたときには、前記モータの回転が開始されるように構成され、前記所定の引き量の領域内で、前記スイッチ手段の操作時間を検出する検出手段とを有し、前記操作時間が所定時間以下である場合、前記ソフトスタート手段が始動せずに前記モータは回転を開始し、前記操作時間が前記所定時間を上回る場合、前記ソフトスタート手段が始動して前記モータは回転を開始することを特徴とする。
【００１７】
検出手段によって検出された操作時間が所定時間以下である場合、モータはソフトスタート手段の制御を受けずに回転を開始する。従って、被加工部材を切断する場合、短時間で切断作業を終えることができる。一方、検出手段によって検出された操作時間が所定時間を上回る場合、ソフトスタート手段によってモータの回転はソフトスタートする。従って、鋸刃の回転もソフトスタートするので、モータの回転初期における切断作業での被加工部材からの反動が抑制され、例えば被加工部材の墨線からの鋸刃の刃先のずれを防止することができる。
【発明の効果】
【００１８】
本発明の携帯用切断機によれば、被加工部材を切断するとき、モータのソフトスタートが必要とされるユーザの初動動作に応じて、自動的にモータをソフトスタートさせて、モータの回転初期の被加工部材からの反動を抑制することができるという優れた効果を奏し得る。
【図面の簡単な説明】
【００１９】
【図１】本発明の実施の形態による携帯用切断機の平面図。
【図２】携帯用切断機の側面図。
【図３】携帯用切断機の電源回路図。
【図４】携帯用切断機で被加工部材を切断するプロセスのフローチャート。
【図５】切断作業中の携帯用切断機の側面図。
【図６】切断作業中の携帯用切断機の側面図。
【図７】検出手段としてマイクロスイッチを用いた場合の実施の形態の側面図。
【図８】トリガスイッチの引き量と鋸刃の回転数との関係を説明する図。
【発明を実施するための形態】
【００２０】
以下、本発明による携帯用切断機の第１の実施の形態について図１乃至図６を参照して説明する。図１、図２は、携帯用切断機１の全体構成を示しており、これらの図において右側が切断方向前方、左側が切断方向後方である。携帯用切断機１は、主に、切断作業時に被加工部材の上に当接配置されるベース２と、ベース２に対して被加工部材とは反対側に位置してベース２に対して回動可能に設けられた丸鋸本体３とにより構成される。
【００２１】
ベース２は、一面側が被加工部材Ｗに当接して摺動し、鋸刃６を被加工部材Ｗ側に突出させるための開口部（図示せず）が形成されている。又、ベース２の切断方向前方側端部付近には、丸鋸本体３をベース２に対して回動させる回動支持部１１が設けられており、回動支持部１１には、回動ピン１２が丸鋸軸６Ａと平行に延びている。
【００２２】
丸鋸本体３は、ハウジング４とソーカバー５とにより外郭をなす。ハウジング４は、鋸刃６の一側面側に位置し、ハウジング４内には、鋸刃６を回転駆動するためのモータ７やモータ７の回転を鋸刃６に伝達する図示せぬ動力伝達機構が内蔵されている。ハウジング４の頂部には、ハンドル８と、ユーザによって操作されてモータ７の回転を制御するトリガスイッチ１４とが設けられている。なお、トリガスイッチ１４は、スイッチ手段に相当する。ソーカバー５は、鋸刃６の上半分を覆い、ハウジング４の一端部に一体に設けられる。ソーカバー５の切断方向前方側の端部は、回動ピン１２に回動可能に接続され、鋸刃６のベース２からの突出量を変更可能にしている。また、ベース２と丸鋸本体３との間には、丸鋸本体３の回動位置の固定及びその解除をするための固定解除機構１３が設けられている。
【００２３】
鋸刃６の外周には、セフティカバー９が、不使用時に鋸刃６の下半分を覆うために、丸鋸軸６Ａを中心に回動可能に設けられている。被加工部材Ｗをその後端面から前方に向かって切断するとき、セフティカバー９は、回動して鋸刃６の下半分を露出させる。
【００２４】
また、ベース２の回動支持部１１近傍で、ベース２の切断方向における先端部よりも鋸刃６に近い部分に、被加工部材Ｗを検出するセンサ１５がソフトスタート手段として設けられている。センサ１５は、超音波センサ、レーザセンサ、またはマイクロスイッチなどからなり、ベース２において、鋸刃６の切断方向Ａにおける鋸刃６の刃先６ａより距離Ｄのところに、検出面が下向きに取り付けられている。センサ１５は、検出面に対向して被加工部材Ｗが至近距離に配置されるとき、鋸刃６の刃先６ａに対して距離Ｄ以下のところに被加工部材Ｗの端縁部Ｗ１が位置することになってハイレベルの信号を出力する。一方、センサ１５は、検出面に至近距離にて対向する被加工部材Ｗが無いときは、ローレベルの信号を出力する。
【００２５】
さらに、モータ７を回転させる電源回路２０がハウジング４に設けられている。図３に示すように、電源回路２０は、電源２１に対し、トリガスイッチ１４、ソフトスタートスイッチ２２、及びモータ７が直列に接続されている。さらに、電源回路２０は、コントローラ２３を有する。コントローラ２３は、センサ１５に接続され、トリガスイッチ１４のオン・オフをモニタすると共に、ソフトスタートスイッチ２２のオン・オフを制御する。ソフトスタートスイッチ２２は、コントローラ２３からのハイレベルの信号によりオンに設定されると、トリガスイッチ１４がオンに切り替わり、モータ７へ給電が開始されるとモータ７の回転をソフトスタートさせる機能を有する。一方、ソフトスタートスイッチ２２は、コントローラ２３からのローレベルの信号によりオフに設定されると、トリガスイッチ１４がオンに切り替わると、モータ７は、ソフトスタートスイッチ２２の作用を何ら受けること無く回転を開始する。なお、本発明において「ソフトスタート」とは、モータ７の回転数を、通常よりも小さい所定の増加率でモータ７の給電開始時から所定期間内に亘り増加させる制御である。
【００２６】
次に、携帯用切断機１を使った被加工部材Ｗの切断について、図４のフローチャートを参照しながら説明する。
【００２７】
被加工部材Ｗを切断するために、携帯用切断機１を電源２１に接続すると、コントローラ２３及びセンサ１５が起動される（Ｓ１）。例えば、図１に示すように、被加工部材Ｗを墨線Ｌに沿って切断する場合、切断の正確性が必要とされる。そこで、鋸刃６の回転を開始する前に、ユーザは、図５に示すように、初動動作として、刃先６ａが被加工部材Ｗの端縁部Ｗ１にできるだけ近接するように配置して鋸刃６の刃先６ａを墨線Ｌに合わせる。この動作は、モータのソフトスタートが必要とされるユーザの初動動作に該当する。このとき、被加工部材Ｗの端縁部Ｗ１は、センサ１５よりも鋸刃６側に位置するので、センサ１５の検出面は至近距離で被加工部材Ｗに対向する。すなわち、センサ１５は、被加工部材Ｗを検出するので、ハイレベルの信号をコントローラ２３に向けて出力する。故に、コントローラ２３は、被加工部材Ｗが刃先６ａから所定距離Ｄ以内に位置すると判断し（Ｓ２：ＹＥＳ）、ソフトスタートスイッチ２２をオンにする（Ｓ３）。
【００２８】
次に、トリガスイッチ１４がオンになると（Ｓ４：ＹＥＳ）、モータ７の回転はソフトスタートスイッチ２２の作用によりソフトスタートする（Ｓ５）。故に、ユーザは、モータ７の回転初期に生じる被加工部材Ｗからの反動が抑制されるので、刃先６ａの墨線Ｌからずれること無く墨線Ｌに沿って被加工部材Ｗを切断することができる。
【００２９】
次に、被加工部材Ｗの切断が終了してトリガスイッチ１４がオフになると（Ｓ６：ＹＥＳ）、モータ７への給電が遮断されて鋸刃６の回転は停止する（Ｓ７）。
【００３０】
一方、被加工部材Ｗを加工精度を必要とせずに切断する場合、例えば、鋸刃６による被加工部材Ｗの切断部が墨線Ｌから若干ずれても構わないような場合、最初に、図６に示すように、ベース２の切断方向の先端部２Ａ近傍のみを被加工部材Ｗに載置する。この動作は、モータのソフトスタートが必要とされるユーザの初動動作に該当しない。また、このとき、被加工部材Ｗの端縁部Ｗ１は、刃先６ａから離間配置されて、刃先６ａに対して距離Ｄよりも離れたところに位置する。すなわち、センサ１５は、被加工部材Ｗを検出せず、ローレベルの信号をコントローラ２３に向けて出力する。従って、コントローラ２３は、被加工部材Ｗが刃先６ａから所定距離Ｄ以内に無いと判断し（Ｓ２：ＮＯ）、ソフトスタートスイッチ２２をオフにする（Ｓ８）。
【００３１】
次に、トリガスイッチ１４がオンになると（Ｓ９：ＹＥＳ）、モータ７の回転は、ソフトスタートすることなく回転を開始する（Ｓ１０）。すなわち、短時間のうちにモータ７の回転が規定回転数に達して（Ｓ１０）、被加工部材Ｗの切断を開始することができる。
【００３２】
次に、被加工部材Ｗの切断が終了してトリガスイッチ１４がオフになると（Ｓ６：ＹＥＳ）、モータ７への給電が遮断されて鋸刃６の回転は停止する（Ｓ７）。
【００３３】
以上のように、鋸刃６の刃先６ａを被加工部材Ｗに近づけて刃先６ａと墨線Ｌとを合わせて精度良く被加工部材Ｗを切断したいときは、センサ１５がハイレベルの信号を出力してソフトスタートスイッチ２２をオンにしている。従って、トリガスイッチ１４のオンにより、モータ７の回転はソフトスタートするので、鋸刃６の回転初期に生じやすい被加工部材Ｗからの反動を抑制して、刃先６ａが墨線Ｌからずれることを防ぎ、被加工部材Ｗを精度良く加工することが可能である。
【００３４】
また、鋸刃６を回転させてから被加工部材Ｗに近づけて切断作業を行うなど短時間で被加工部材Ｗを切断したいときは、被加工部材Ｗが刃先６ａから距離Ｄを超えて離れているので、ソフトスタートスイッチ２２がオフになっている。この状態で、鋸刃の回転を開始するとき、モータ７はソフトスタートせずに回転を開始するので、短時間のうちに規定回転数に達し、効率良く切断作業を終えることができる。
【００３５】
さらに、上記実施の形態において、センサ１５に代えて、図７に示すマイクロスイッチ３０を用いても良い。マイクロスイッチ３０は、検出面に対向して被加工部材Ｗが至近距離に配置されるとき、オンに切り替わってハイレベルの信号を出力する。一方、マイクロスイッチ３０は、検出面に至近距離にて対向する被加工部材Ｗが無いときは、オフのままであり、ローレベルの信号を出力する。
【００３６】
また、被加工部材Ｗを検出するセンサ１５は、携帯用切断機１の任意の位置に取り付けることができる。さらに、センサ１５は、携帯用切断機１に必ずしも直接的に取り付けられている必要もない。
【００３７】
次に、本発明による携帯用切断機の第２の実施の形態について図面を参照して説明する。第２の実施の形態は、作業者によってスイッチ手段が未操作時すなわちＯＦＦの状態からモータ７が駆動し始めるＯＮの状態になるまで引かれる間の移動範囲内で、ソフトスタート駆動を検出する検出手段を設け、ソフトスタート機構のＯＮ・ＯＦＦを切り換えるものである。
【００３８】
スイッチ手段は、操作部を有するトリガスイッチ１４であり、トリガスイッチ１４の近傍には、モータ７への給電を開始するときの、所定の引き量（遊び）における操作部の操作時間若しくは操作速度を検出する検出手段を有している。トリガスイッチ１４は、モータ７が駆動しない位置、すなわちトリガスイッチ１４がＯＦＦの位置（位置１）、作業者がトリガスイッチ１４を引き、切断刃が通常の回転数で駆動する位置、すなわちトリガスイッチ１４が最大限引かれた位置（位置２）、作業者が微小にトリガスイッチ１４を引きモータ７が駆動を開始しはじめる位置（位置３）を有している。位置１から位置３までは、いわゆるトリガスイッチ１４の遊びの範囲である。
【００３９】
最初に、検出手段として操作部の操作速度を検出するセンサを用いた一例を記載する。図８のＡのように、検出手段は位置１から位置３までのトリガスイッチ１４の引き速度を検出し、引き速度が所定の速度を越えたときには、通常の回転数で切断刃を駆動させるよう制御部（不図示）に設定をする。逆に、図８のＢのように、引き速度が所定の速度以下のときには、ソフトスタート機構が動作するように制御部（不図示）に設定する。すなわち、ソフトスタート機構が動作する所定の引き速度が、（引き速度）＞（所定の引き速度）の際には、通常の回転数で切断刃を駆動させるよう制御部（不図示）に設定をする。逆に（引き速度）≦（所定の引き速度）の際には、ソフトスタート機構が働くように制御部（不図示）を設定する。
【００４０】
つぎに、検出手段として操作部の操作時間を検出するセンサを用いた一例を記載する。図８のＢのように、検出手段は位置１から位置３のトリガスイッチ１４の引き時間を検知し、引き時間が所定の時間を越えたときに、ソフトスタート機構が動作するように制御部（不図示）に設定する。逆に、図８のＡのように、引き時間が所定の時間を越えないときには、通常の回転数で切断刃を駆動させるよう制御部（不図示）に設定をする。すなわち、ソフトスタート機構が作動する所定の引き時間が、（引き時間）≧（所定の引き時間）の際に、ソフトスタート機構が働くように制御部（不図示）を設定する。逆に（引き時間）＜（所定の引き時間）の際には、通常の回転数で切断刃を駆動させるよう制御部（不図示）に設定をする。
【００４１】
なお、位置１から位置３までトリガスイッチ１４を引いた時間や速度で検出するセンサを用いたが、位置３でトリガスイッチ１４を仮押しの状態を保ち、所定の仮押し時間でソフトスタート機構のスイッチがＯＮになるように構成しても良い。なお、センサはモーションセンサや加速度センサ等を適宜用いることとする。
【００４２】
また、前述では検出手段にセンサを用いて、ソフトスタート駆動を制御しているが、センサを用いずに作業者がトリガスイッチ１４を所定の引き量（遊び）以上で且つトリガスイッチ１４を引ききった状態以下の中間位置付近に、二段階でトリガスイッチ１４を引けるようラッチや仮固定部を設け、その位置でソフトスタート機構が作動するように構成しても良い。さらに、トリガスイッチ１４にボタンやレバー等を別途で設け、ボタンやレバー等を操作し切り換えることで、中間位置付近でトリガスイッチ１４の引き量を係止できる構成としても良い。すなわち、最大限トリガスイッチ１４を引いても中間位置付近で係止可能な部材であれば、何を用いても構わない。
【００４３】
なお、電源２１として、商用電源または電池パックを用いることができる。また、電源２１として交流電源を使用する場合は、交流用のモータを、電源２１として直流電源を使用する場合は、直流用のモータを使うことができる。さらに、電源２１が交流電源であり且つモータ７が直流用の場合は、電源回路２０は、整流回路を含み、電源２１が直流電源であり且つモータ７が交流用の場合は、電源回路２０は、インバータ回路を含む。
【００４４】
また、本発明は、携帯用切断機のみならず、切断機として同種類である卓上切断機にも適用することができる。
【産業上の利用可能性】
【００４５】
本発明の携帯用切断機は、用途に応じてモータの回転のソフトスタートが必要な適宜の携帯用切断機に利用することができる。
【符号の説明】
【００４６】
２    ベース
５    ソーカバー
６    鋸刃
７    モータ
１４  スイッチ手段
２２  ソフトスタート手段
【図１】
0005605751.tif 000002
【図２】
0005605751.tif 000003
【図３】
0005605751.tif 000004
【図４】
0005605751.tif 000005
【図５】
0005605751.tif 000006
【図６】
0005605751.tif 000007
【図７】
0005605751.tif 000008
【図８】
0005605751.tif 000009